(57)【要約】【課題】試験機器リソースを無駄にすることなく、測定の高速化を図ることができるという効果を有する測定装置及び測定方法を提供する。【解決手段】測定装置１０は、送信部３１又は４１に試験信号ａを出力する信号発生部１１と、送信部３１又は４１が出力する信号ｃ、ｄを測定する測定部１４と、受信部３２、４２に試験信号ｂを出力する送信装置１２と、受信部３２、４２が復調して出力する復調信号ｅ、ｆを測定する測定部１５と、送信部３１が出力する信号ｃと受信部４２が出力する復調信号ｆとを並行して測定する送信／受信モードと、受信部３２が復調して出力する復調信号ｅと送信部４１が出力する信号ｄとを並行して測定する受信／送信モードと、を切り替える制御部１７と、を備える。【選択図】図１
2016054380.tif 000002
【特許請求の範囲】
【請求項１】
第１の送信部（３１）及び第１の受信部（３２）を有し半二重方式で通信する第１の被測定装置（３０）と、第２の送信部（４１）及び第２の受信部（４２）を有し半二重方式で通信する第２の被測定装置（４０）と、を測定する測定装置（１０）であって、
前記第１又は前記第２の送信部に第１の試験信号（ａ）を出力する第１の試験信号出力手段（１１）と、
前記第１又は前記第２の送信部が出力する信号（ｃ、ｄ）を測定する第１の測定手段（１４）と、
前記第１又は前記第２の受信部に第２の試験信号（ｂ）を出力する第２の試験信号出力手段（１２）と、
前記第１又は前記第２の受信部が復調して出力する復調信号（ｅ、ｆ）を測定する第２の測定手段（１５）と、
前記第１の送信部が出力する信号と前記第２の受信部が出力する信号とを並行して測定する第１の測定モードと、前記第１の受信部が出力する信号と前記第２の送信部が出力する信号とを並行して測定する第２の測定モードと、を切り替える測定モード切替手段（１７、１８、２０）と、
を備えたことを特徴とする測定装置。
【請求項２】
前記測定モード切替手段は、
前記第１の測定モードにおいて、前記第１の送信部が信号を出力する送信モードに前記第１の被測定装置を設定するとともに前記第２の受信部が信号を出力する受信モードに前記第２の被測定装置を設定し、
前記第２の測定モードにおいて、前記第１の受信部が信号を出力する受信モードに前記第１の被測定装置を設定するとともに前記第２の送信部が信号を出力する送信モードに前記第２の被測定装置を設定するものであることを特徴とする請求項１に記載の測定装置。
【請求項３】
前記第１及び前記第２の被測定装置は、それぞれ、押すことにより前記送信モードとなり、離すことにより前記受信モードとなる動作を切り換えるＰＴＴスイッチを備え、
前記測定モード切替手段は、前記ＰＴＴスイッチに代わって前記第１及び前記第２の被測定装置をそれぞれ前記送信モード及び前記受信モードのいずれか一方に設定するＰＴＴスイッチ制御部（１８）を備えたものであることを特徴とする請求項２に記載の測定装置。
【請求項４】
前記第１の試験信号出力手段は、前記第１の試験信号として可聴周波数の信号を出力するものであり、
前記第２の試験信号出力手段は、前記第２の試験信号として無線周波数の信号を出力するものであることを特徴とする請求項１から請求項３までのいずれか１項に記載の測定装置。
【請求項５】
第１の送信部（３１）及び第１の受信部（３２）を有し半二重方式で通信する第１の被測定装置（３０）と、第２の送信部（４１）及び第２の受信部（４２）を有し半二重方式で通信する第２の被測定装置（４０）と、を測定する測定方法であって、
前記第１又は前記第２の送信部に第１の試験信号（ａ）を出力する第１の試験信号出力ステップ（Ｓ１２、Ｓ２８）と、
前記第１又は前記第２の送信部が出力する信号（ｃ、ｄ）を測定する第１の測定ステップ（Ｓ１５、Ｓ３１）と、
前記第１又は前記第２の受信部に第２の試験信号（ｂ）を出力する第２の試験信号出力ステップ（Ｓ１８、Ｓ２４）と、
前記第１又は前記第２の受信部が復調して出力する復調信号（ｅ、ｆ）を測定する第２の測定ステップ（Ｓ２０、Ｓ２６）と、
前記第１の送信部が出力する信号と前記第２の受信部が出力する信号とを並行して測定する第１の測定モードと、前記第１の受信部が出力する信号と前記第２の送信部が出力する信号とを並行して測定する第２の測定モードと、を切り替える測定モード切替ステップ（Ｓ１１、Ｓ２２）と、
を含むことを特徴とする測定方法。
【発明の詳細な説明】
【技術分野】
【０００１】
本発明は、通信装置の電気的特性を測定する測定装置及び測定方法に関する。
【背景技術】
【０００２】
従来、この種の装置としては、３方向分岐器を備えた無線機テスタの分岐器が知られている（特許文献１参照）。
【０００３】
特許文献１記載のものは、３方向分岐器と、第１及び第２の補助入力出力端子と、第１の補助入力出力端子に接続された周波数カウンタと、第２の補助入力出力端子に接続されたパワーメータと、発振器と、直線検波器と、発振器又は直線検波器を選択するスイッチ回路と、を備えている。
【０００４】
３方向分岐器は、被測定対象の無線機に接続された１つの端子と、第１及び第２の補助入力出力端子にそれぞれ接続可能な２つの端子と、スイッチ回路に接続された１つの端子と、を備えている。
【０００５】
この構成により、特許文献１記載のものは、内蔵した周波数カウンタやパワーメータ等の各試験機器や、第１及び第２の補助入力出力端子に接続した所望の各試験機器を用いることにより、複数の試験項目を同時に処理することができるので、測定の高速化を図ることができる。
【先行技術文献】
【特許文献】
【０００６】
【特許文献１】実公平７−４５０２８号公報
【発明の概要】
【発明が解決しようとする課題】
【０００７】
しかしながら、特許文献１記載のものは、送信試験と受信試験とを別個に行う構成となっているので、送信試験及び受信試験のいずれか一方の試験中にはいずれか他方の試験機器が待ち状態になって、試験機器リソースが無駄になるという課題があった。
【０００８】
本発明は、従来の課題を解決するためになされたものであり、試験機器リソースを無駄にすることなく、測定の高速化を図ることができる測定装置及び測定方法を提供することを目的とする。
【課題を解決するための手段】
【０００９】
本発明の請求項１に係る測定装置は、第１の送信部（３１）及び第１の受信部（３２）を有し半二重方式で通信する第１の被測定装置（３０）と、第２の送信部（４１）及び第２の受信部（４２）を有し半二重方式で通信する第２の被測定装置（４０）と、を測定する測定装置（１０）であって、前記第１又は前記第２の送信部に第１の試験信号（ａ）を出力する第１の試験信号出力手段（１１）と、前記第１又は前記第２の送信部が出力する信号（ｃ、ｄ）を測定する第１の測定手段（１４）と、前記第１又は前記第２の受信部に第２の試験信号（ｂ）を出力する第２の試験信号出力手段（１２）と、前記第１又は前記第２の受信部が復調して出力する復調信号（ｅ、ｆ）を測定する第２の測定手段（１５）と、前記第１の送信部が出力する信号と前記第２の受信部が出力する信号とを並行して測定する第１の測定モードと、前記第１の受信部が出力する信号と前記第２の送信部が出力する信号とを並行して測定する第２の測定モードと、を切り替える測定モード切替手段（１７、１８、２０）と、を備えた構成を有している。
【００１０】
この構成により、本発明の請求項１に係る測定装置は、第１の測定モードでは第１の送信部が出力する信号と第２の受信部が出力する信号とを並行して測定し、第２の測定モードでは第１の受信部が出力する信号と第２の送信部が出力する信号とを並行して測定することができる。
【００１１】
したがって、本発明の請求項１に係る測定装置は、第１及び第２の測定モードにおいて、それぞれ、送信処理を行う試験機器リソースと受信処理を行う試験機器リソースとを同時に使用するので、試験機器リソースを無駄にすることなく、測定の高速化を図ることができる。
【００１２】
本発明の請求項２に係る測定装置は、前記測定モード切替手段は、前記第１の測定モードにおいて、前記第１の送信部が信号を出力する送信モードに前記第１の被測定装置を設定するとともに前記第２の受信部が信号を出力する受信モードに前記第２の被測定装置を設定し、前記第２の測定モードにおいて、前記第１の受信部が信号を出力する受信モードに前記第１の被測定装置を設定するとともに前記第２の送信部が信号を出力する送信モードに前記第２の被測定装置を設定するものである構成を有している。
【００１３】
この構成により、本発明の請求項２に係る測定装置は、第１の測定モードでは第１の被測定装置を送信モードに設定するとともに第２の被測定装置を受信モードに設定し、第２の測定モードでは第１の被測定装置を受信モードに設定するとともに第２の被測定装置を送信モードに設定するので、試験機器リソースを無駄にすることなく、測定の高速化を図ることができる。
【００１４】
本発明の請求項３に係る測定装置は、前記第１及び前記第２の被測定装置は、それぞれ、押すことにより前記送信モードとなり、離すことにより前記受信モードとなる動作を切り換えるＰＴＴスイッチを備え、前記測定モード切替手段は、前記ＰＴＴスイッチに代わって前記第１及び前記第２の被測定装置をそれぞれ前記送信モード及び前記受信モードのいずれか一方に設定するＰＴＴスイッチ制御部（１８）を備えたものである構成を有している。
【００１５】
この構成により、本発明の請求項３に係る測定装置は、ＰＴＴスイッチ制御部により、第１及び第２の被測定装置のいずれか一方を送信モードに設定し、いずれか他方を受信モードに設定することができる。
【００１６】
本発明の請求項４に係る測定装置は、前記第１の試験信号出力手段は、前記第１の試験信号として可聴周波数の信号を出力するものであり、前記第２の試験信号出力手段は、前記第２の試験信号として無線周波数の信号を出力するものである構成を有している。
【００１７】
この構成により、本発明の請求項４に係る測定装置は、可聴周波数の信号を第１又は第２の送信部に出力して送信試験を行うことができ、無線周波数の信号を第１又は第２の受信部に出力して受信試験を行うことができる。
【００１８】
本発明の請求項５に係る測定方法は、第１の送信部（３１）及び第１の受信部（３２）を有し半二重方式で通信する第１の被測定装置（３０）と、第２の送信部（４１）及び第２の受信部（４２）を有し半二重方式で通信する第２の被測定装置（４０）と、を測定する測定方法であって、前記第１又は前記第２の送信部に第１の試験信号（ａ）を出力する第１の試験信号出力ステップ（Ｓ１２、Ｓ２８）と、前記第１又は前記第２の送信部が出力する信号（ｃ、ｄ）を測定する第１の測定ステップ（Ｓ１５、Ｓ３１）と、前記第１又は前記第２の受信部に第２の試験信号（ｂ）を出力する第２の試験信号出力ステップ（Ｓ１８、Ｓ２４）と、前記第１又は前記第２の受信部が復調して出力する復調信号（ｅ、ｆ）を測定する第２の測定ステップ（Ｓ２０、Ｓ２６）と、前記第１の送信部が出力する信号と前記第２の受信部が出力する信号とを並行して測定する第１の測定モードと、前記第１の受信部が出力する信号と前記第２の送信部が出力する信号とを並行して測定する第２の測定モードと、を切り替える測定モード切替ステップ（Ｓ１１、Ｓ２２）と、を含む構成を有している。
【００１９】
この構成により、本発明の請求項５に係る測定方法は、第１の測定モードでは第１の送信部が出力する信号と第２の受信部が出力する信号とを並行して測定し、第２の測定モードでは第１の受信部が出力する信号と第２の送信部が出力する信号とを並行して測定することができる。
【００２０】
したがって、本発明の請求項５に係る測定方法は、第１及び第２の測定モードにおいて、それぞれ、送信処理を行う試験機器リソースと受信処理を行う試験機器リソースとを同時に使用するので、試験機器リソースを無駄にすることなく、測定の高速化を図ることができる。
【発明の効果】
【００２１】
本発明は、試験機器リソースを無駄にすることなく、測定の高速化を図ることができるという効果を有する測定装置及び測定方法を提供することができるものである。
【図面の簡単な説明】
【００２２】
【図１】本発明に係る測定装置の一実施形態におけるブロック構成図である。
【図２】本発明に係る測定装置の一実施形態において、ＰＴＴスイッチ１８ａ及びＰＴＴスイッチ１８ｂの動作とＤＵＴの動作との関連を示すタイミングチャートである。
【図３】本発明に係る測定装置の一実施形態におけるフローチャートである。
【発明を実施するための形態】
【００２３】
以下、本発明の実施形態について図面を用いて説明する。
【００２４】
まず、本発明に係る測定装置の一実施形態における構成について説明する。
【００２５】
図１に示すように、本実施形態における測定装置１０は、半二重方式で通信する被測定装置であるＤＵＴ３０（第１の被測定装置）及びＤＵＴ４０（第２の被測定装置）の電気的特性を測定するものである。ＤＵＴ３０は、送信部３１（第１の送信部）及び受信部３２（第１の受信部）を備えている。ＤＵＴ４０は、送信部４１（第２の送信部）及び受信部４２（第２の受信部）を備えている。ＤＵＴ３０及び４０は、いわゆるプッシュトゥトーク（Push To Talk：ＰＴＴ）通話機能を有する装置（例えば携帯端末）であって、図示を省略したが、押すことにより送信モードとなり、離すことにより受信モードとなる動作を切り換えるＰＴＴスイッチを備えている。
【００２６】
測定装置１０は、信号発生部１１、送信装置１２、受信装置１３、測定部１４及び１５、表示部１６、制御部１７、ＰＴＴスイッチ制御部１８、切替スイッチ２０を備えている。
【００２７】
信号発生部１１は、可聴周波数（例えば１ｋＨｚ）の試験信号ａを発生するようになっている。この信号発生部１１は、第１の試験信号出力手段を構成する。信号発生部１１が発生した試験信号ａは、切替スイッチ２０を介してＤＵＴ３０の送信部３１又はＤＵＴ４０の送信部４１と、送信装置１２と、に出力される。なお、切替スイッチ２０に代えて分岐回路を用いてもよい。
【００２８】
送信装置１２は、信号発生部１１からの試験信号ａを所定の無線周波数の信号（ＲＦ信号）に変換するようになっている。すなわち、送信装置１２は、図示を省略したが、アンプ、フィルタ、局部発振器、アップコンバータ、変調回路等を備えている。この送信装置１２は、第２の試験信号出力手段を構成する。送信装置１２の出力信号は、切替スイッチ２０を介してＤＵＴ３０の受信部３２又はＤＵＴ４０の受信部４２に出力される。なお、信号発生部１１とは別の信号発生部をさらに設ける構成とし、その信号発生部からの試験信号を送信装置１２がＲＦ信号に変換する構成であってもよい。
【００２９】
受信装置１３は、切替スイッチ２０を介して送信部３１又は４１からのＲＦの信号ｃ又はｄを入力するようになっている。そして、受信装置１３は、入力した信号ｃ又はｄを可聴周波数の信号に変換するようになっている。すなわち、受信装置１３は、図示を省略したが、ＡＤ（Analog to Digital）変換器、フィルタ、アンプ、ダウンコンバータ、局部発振器、復調回路等を備えている。受信装置１３の出力信号は、測定部１４に出力される。
【００３０】
測定部１４は、受信装置１３が復調した復調信号について、例えば、レベル、周波数、歪率等を測定するようになっている。この測定部１４は、第１の測定手段を構成する。測定部１４の測定結果を示す信号は表示部１６に出力される。
【００３１】
測定部１５は、切替スイッチ２０を介して受信部３２又は４２からの復調信号ｅ又はｆを入力するようになっている。そして、測定部１５は、入力した復調信号ｅ又はｆについて、例えば、レベル、周波数、歪率等を測定するようになっている。この測定部１５は、第１の測定手段を構成する。測定部１５の測定結果を示す信号は表示部１６に出力される。
【００３２】
表示部１６は、測定部１４又は１５によって測定された測定結果のデータを表示するようになっている。
【００３３】
制御部１７は、切替スイッチ２０の切替動作と、ＰＴＴスイッチ制御部１８の動作とを制御するようになっている。この制御部１７は、例えばＣＰＵ、ＲＯＭ、ＲＡＭ等を備え、ＲＯＭに予め記憶されたプログラムに従って動作するようになっている。なお、制御部１７は、測定モード切替手段を構成する。
【００３４】
ＰＴＴスイッチ制御部１８は、制御部１７からの制御信号に従って、ＤＵＴ３０及び４０が有するＰＴＴスイッチに代わってＤＵＴ３０及び４０を送信モード及び受信モードのいずれか一方に設定するようになっている。
【００３５】
具体的には、ＰＴＴスイッチ制御部１８は、ＤＵＴ３０のＰＴＴスイッチに代わるＰＴＴスイッチ１８ａを有する。このＰＴＴスイッチ１８ａをオンにするとＤＵＴ３０が送信状態に設定され、オフにするとＤＵＴ３０が受信状態に設定される。また、ＰＴＴスイッチ制御部１８は、ＤＵＴ４０のＰＴＴスイッチに代わるＰＴＴスイッチ１８ｂを有する。このＰＴＴスイッチ１８ｂをオンにするとＤＵＴ４０が送信状態に設定され、オフにするとＤＵＴ４０が受信状態に設定される。図１に示した状態は、ＰＴＴスイッチ１８ａがオンであってＤＵＴ３０が送信モードであり、ＰＴＴスイッチ１８ｂがオフであってＤＵＴ４０が受信モードである。なお、ＰＴＴスイッチ制御部１８に代えて、制御部１７からの制御信号に従って、ＤＵＴ３０及び４０が有するＰＴＴスイッチを物理的に押したり離したりする機構部を設けてもよい。
【００３６】
切替スイッチ２０は、４つのスイッチ２１〜２４で構成されている。このうち、スイッチ２１及び２２は、それぞれ、可聴周波数の信号の入力先及び出力先を切り替えるものである。また、スイッチ２３及び２４は、それぞれ、ＲＦ信号の入力先及び出力先を切り替えるものである。この切替スイッチ２０は、測定モード切替手段を構成する。なお、測定装置１０が切替スイッチ２０を内蔵した例を挙げたが、切替スイッチ２０を測定装置１０の外部に設けた構成としてもよい。また、４つのスイッチ２１〜２４のうち、２つのスイッチ２１及び２２は分岐器、他の２つのスイッチ２３及び２４はパワースプリッタで構成してもよい。
【００３７】
スイッチ２１は、接点２１ａ及び２１ｂを有する。スイッチ２２は、接点２２ａ及び２２ｂを有する。スイッチ２３は、接点２３ａ及び２３ｂを有する。スイッチ２４は、接点２４ａ及び２４ｂを有する。これらのスイッチ２１〜２４は、それぞれ、制御部１７からの制御信号に基づいて、２つの接点のいずれか一方を選択するようになっている。すなわち、スイッチ２１〜２４は、それぞれ、実線で示した選択状態と点線で示した選択状態とを切り替えるようになっている。
【００３８】
切替スイッチ２０に実線で示した選択状態では、ＤＵＴ３０の送信部３１は、信号発生部１１からの試験信号ａを入力し、それを所定の変調方式で変調し、アップコンバートして受信装置１３に信号ｃとして出力し、これと並行して、ＤＵＴ４０の受信部４２は、送信装置１２からの信号ｂを入力し、それをダウンコンバートし、復調して測定部１５に復調信号ｆとして出力する構成となっている。この選択状態は、ＤＵＴ３０が送信モード、ＤＵＴ４０が受信モードであることから、以下、「送信／受信モード」と呼ぶ。これは第１の測定モードに対応する。
【００３９】
一方、切替スイッチ２０に点線で示した選択状態では、ＤＵＴ３０の受信部３２は、送信装置１２からの信号ｂを入力し、それをダウンコンバートし、復調して測定部１５に復調信号ｅを出力し、これと並行して、ＤＵＴ４０の送信部４１は、信号発生部１１からの試験信号ａを入力し、それを所定の変調方式で変調し、アップコンバートして受信装置１３に信号ｄとして出力する構成となっている。この選択状態は、ＤＵＴ３０が受信モード、ＤＵＴ４０が送信モードであることから、以下、「受信／送信モード」と呼ぶ。これは第２の測定モードに対応する。
【００４０】
次に、ＰＴＴスイッチ制御部１８が有するＰＴＴスイッチ１８ａ及びＰＴＴスイッチ１８ｂの動作と、ＤＵＴ３０及び４０の動作との関連について、図２に基づき説明する。
【００４１】
図２に示すように、送信／受信モードでは、ＰＴＴスイッチ１８ａがオンであるのでＤＵＴ３０が送信モードに設定され、ＰＴＴスイッチ１８ｂがオフであるのでＤＵＴ４０が受信モードに設定される。その結果、測定装置１０は、ＤＵＴ３０の送信部３１の測定と、ＤＵＴ４０の受信部４２の測定と、を並行して行うことができる。
【００４２】
次に、受信／送信モードでは、ＰＴＴスイッチ１８ａがオフであるのでＤＵＴ３０が受信モードに設定され、ＰＴＴスイッチ１８ｂがオンであるのでＤＵＴ４０が送信モードに設定される。その結果、測定装置１０は、ＤＵＴ３０の受信部３２の測定と、ＤＵＴ４０の送信部４１の測定と、を並行して行うことができる。これらに加えて、測定装置１０は、ＤＵＴ３０の送信部３１の測定結果の表示と、ＤＵＴ４０の受信部４２の測定結果の表示と、を並行して行うこともできる。この受信／送信モードに続いた期間では、ＤＵＴ３０の受信部３２の測定の表示と、ＤＵＴ４０の送信部４１の測定結果の表示と、を並行して行うことができる。なお、この期間に、全ての測定結果の表示を一括して行う構成としてもよい。
【００４３】
次に、本実施形態における測定装置１０の動作について図３に示すフローチャートを用いて説明する。
【００４４】
制御部１７は、送信／受信モードを設定する（ステップＳ１１）。具体的には、制御部１７は、ＤＵＴ３０が送信モード、ＤＵＴ４０が受信モードになるようＰＴＴスイッチ制御部１８に制御信号を出力する。ＰＴＴスイッチ制御部１８は、ＰＴＴスイッチ１８ａをオンにし、ＰＴＴスイッチ１８ｂをオフにする。
【００４５】
また、制御部１７は、切替スイッチ２０の状態を図１に示した実線の状態にする。すなわち、制御部１７は、切替スイッチ２０に制御信号を出力し、スイッチ２１に接点２１ａ、スイッチ２２に接点２２ａ、スイッチ２３に接点２３ａ、スイッチ２４に接点２４ａを選択させる。
【００４６】
信号発生部１１は、スイッチ２２を介し、試験信号ａをＤＵＴ３０の送信部３１に出力する（ステップＳ１２）。
【００４７】
送信部３１は、試験信号ａを所定ＲＦにアップコンバートした信号ｃを、スイッチ２３を介して受信装置１３に出力する（ステップＳ１３）。
【００４８】
受信装置１３は、送信部３１からの信号ｃを受信処理し（ステップＳ１４）、可聴周波数の信号を測定部１４に出力する。
【００４９】
測定部１４は、受信装置１３の出力信号について、例えば、レベル、周波数、歪率等を測定し（ステップＳ１５）、測定結果を示すデータを表示部１６に出力する。
【００５０】
表示部１６は、測定部１４から測定結果を示すデータを入力してそれを表示する。すなわち、表示部１６は、ＤＵＴ３０の送信部３１の測定結果を表示する（ステップＳ１６）。
【００５１】
一方、測定装置１０は、ステップＳ１１の後において、前述のステップＳ１２〜Ｓ１６と並行して以下のステップを実行する。すなわち、信号発生部１１は、試験信号ａを送信装置１２に出力する（ステップＳ１７）。
【００５２】
送信装置１２は、試験信号ａを所定ＲＦにアップコンバートした信号ｂを、スイッチ２４を介してＤＵＴ４０の受信部４２に出力する（ステップＳ１８）。
【００５３】
受信部４２は、送信装置１２からの信号ｂを受信処理し（ステップＳ１９）、可聴周波数の復調信号ｆを、スイッチ２１を介して測定部１５に出力する。
【００５４】
測定部１５は、受信部４２からの復調信号ｆについて、例えば、レベル、周波数、歪率等を測定し（ステップＳ２０）、測定結果を示すデータを表示部１６に出力する。
【００５５】
表示部１６は、測定部１５から測定結果を示すデータを入力してそれを表示する。すなわち、表示部１６は、ＤＵＴ４０の受信部４２の測定結果を表示する（ステップＳ２１）。
【００５６】
制御部１７は、受信／送信モードを設定する（ステップＳ２２）。具体的には、制御部１７は、ＤＵＴ３０が受信モード、ＤＵＴ４０が送信モードになるようＰＴＴスイッチ制御部１８に制御信号を出力する。ＰＴＴスイッチ制御部１８は、ＰＴＴスイッチ１８ａをオフにし、ＰＴＴスイッチ１８ｂをオンにする。
【００５７】
また、制御部１７は、切替スイッチ２０の状態を図１に示した点線の状態にする。すなわち、制御部１７は、切替スイッチ２０に制御信号を出力し、スイッチ２１に接点２１ｂ、スイッチ２２に接点２２ｂ、スイッチ２３に接点２３ｂ、スイッチ２４に接点２４ｂを選択させる。
【００５８】
信号発生部１１は、試験信号ａを送信装置１２に出力する（ステップＳ２３）。
【００５９】
送信装置１２は、信号発生部１１からの試験信号ａを所定ＲＦにアップコンバートした信号ｂを、スイッチ２４を介してＤＵＴ３０の受信部３２に出力する（ステップＳ２４）。
【００６０】
受信部３２は、送信装置１２からの信号ｂを受信処理し（ステップＳ２５）、可聴周波数の復調信号ｅを、スイッチ２１を介して測定部１５に出力する。
【００６１】
測定部１５は、受信部３２からの復調信号ｅについて、例えば、レベル、周波数、歪率等を測定し（ステップＳ２６）、測定結果を示すデータを表示部１６に出力する。
【００６２】
表示部１６は、測定部１５から測定結果を示すデータを入力してそれを表示する。すなわち、表示部１６は、ＤＵＴ３０の受信部３２の測定結果を表示する（ステップＳ２７）。
【００６３】
一方、測定装置１０は、ステップＳ２２の後において、前述のステップＳ２３〜Ｓ２７と並行して以下のステップを実行する。すなわち、信号発生部１１は、スイッチ２２を介し、試験信号ａをＤＵＴ４０の送信部４１に出力する（ステップＳ２８）。
【００６４】
送信部４１は、試験信号ａを所定ＲＦにアップコンバートした信号ｄを、スイッチ２３を介して受信装置１３に出力する（ステップＳ２９）。
【００６５】
受信装置１３は、送信部４１からの信号ｄを受信処理し（ステップＳ３０）、可聴周波数の信号を測定部１４に出力する。
【００６６】
測定部１４は、受信装置１３の出力信号について、例えば、レベル、周波数、歪率等を測定し（ステップＳ３１）、測定結果を示すデータを表示部１６に出力する。
【００６７】
表示部１６は、測定部１４から測定結果を示すデータを入力してそれを表示する。すなわち、表示部１６は、ＤＵＴ４０の送信部４１の測定結果を表示する（ステップＳ３２）。
【００６８】
以上のように、本実施形態における測定装置１０は、送信／受信モードではＤＵＴ３０の送信部３１が出力する信号ｃとＤＵＴ４０の受信部４２が出力する復調信号ｆとを並行して測定し、受信／送信モードではＤＵＴ３０の受信部３２が復調して出力する復調信号ｅとＤＵＴ４０の送信部４１が出力する信号ｄとを並行して測定する構成を有する。
【００６９】
したがって、本実施形態における測定装置１０は、送信／受信モード及び受信／送信モードにおいて、それぞれ、送信処理を行う試験機器リソースと受信処理を行う試験機器リソースとを同時に使用するので、試験機器リソースを無駄にすることなく、測定の高速化を図ることができる。
【産業上の利用可能性】
【００７０】
以上のように、本発明に係る測定装置及び測定方法は、試験機器リソースを無駄にすることなく、測定の高速化を図ることができるという効果を有し、通信装置の電気的特性を測定する測定装置及び測定方法として有用である。
【符号の説明】
【００７１】
１０  測定装置
１１  信号発生部（第１の試験信号出力手段）
１２  送信装置（第２の試験信号出力手段）
１３  受信装置
１４  測定部（第１の測定手段）
１５  測定部（第２の測定手段）
１６  表示部
１７  制御部（測定モード切替手段）
１８  ＰＴＴスイッチ制御部（測定モード切替手段）
１８ａ、１８ｂ  ＰＴＴスイッチ
２０  切替スイッチ（測定モード切替手段）
３０  ＤＵＴ（第１の被測定装置）
３１  送信部（第１の送信部）
３２  受信部（第１の受信部）
４０  ＤＵＴ（第２の被測定装置）
４１  送信部（第２の送信部）
４２  受信部（第２の受信部）
【図１】
2016054380.tif 000003
【図２】
2016054380.tif 000004
【図３】
2016054380.tif 000005